(57)【要約】【課題】  遊技機内部での電気配線を容易化する。【解決手段】  パチンコ機１の背面には、賞球装置２４の作動を制御する払出制御基板３２のほか、遊技動作を制御する主制御基板３６等が配設されている。主制御基板３６は、遊技の進行に伴い入賞があると、払出制御基板３２に対して賞球コマンドを出力し、これを払出制御基板３２が受け取ると、賞球装置２４が作動されて賞球個数分の払出動作が行われる。このとき、主制御基板３６と払出制御基板３２との間の配線を共通ケーブルにより行うことで、電源系統の配線と信号系統の配線を１つにまとめて簡略化することができる。【選択図】    図２
2005261452.tif 000002
【特許請求の範囲】
【請求項１】
遊技機本体と、この遊技機本体に着脱可能に取り付けられる遊技盤とを備えた遊技機において、
遊技機本体に設けられ、遊技球の払出動作を制御する払出制御手段と、
前記遊技盤に設けられ、前記払出制御手段に対する指令信号を出力する遊技制御手段と、
前記払出制御手段と前記遊技制御手段との間を接続し、この間で電力の供給および前記指令信号の送信を可能とする共通ケーブルとを具備したことを特徴とする遊技機。
【発明の詳細な説明】
【技術分野】
【０００１】
本発明は、例えば電力線や信号線等の電気経路をコネクタによって接続する仕様の遊技機に関する。
【背景技術】
【０００２】
（背景技術の概要）
この種の遊技機においては、その本体となる枠体や筐体に各種のユニットが組み付けられた状態で、それぞれ遊技動作に必要な処理が行われている。例えば各種のユニットとして、外部電源から必要な電力を生成する処理を行う電源ユニットや、ＣＰＵ・ＲＯＭ・ＲＡＭ等の電子回路を用いて制御処理を行う制御基板ユニット、液晶画面や可動体を用いて表示動作処理を行う表示ユニット、遊技媒体の発射（弾球式の場合）や受入・払出等の動作処理を行うための機構ユニット等が挙げられる。これら各種ユニットは、相互にまたは一方から他方へ電力や信号を送受しながらそれぞれの処理を実行する。このため各種ユニット間には電力配線や信号配線等の電気経路が形成されており、この間の配線接続にはコネクタが用いられていることが多い。
【０００３】
（背景技術の例示）
上記のように、制御基板ユニット間の電力配線の接続をコネクタにより行う遊技機が従来から知られている（例えば、特許文献１参照。）。公知の遊技機では、電源基板により所定の電源電圧を生成し、これを主基板および払出制御基板に供給する際にこれら２つの基板と電源基板とを共通のケーブルで連鎖的に接続するものとしている。共通のケーブルには、その両端と途中の１箇所にコネクタが設けられており、一端のコネクタが電源基板に接続され、途中のコネクタが払出制御基板に接続され、そして他端のコネクタが主基板に接続されるものとなっている。
【０００４】
コネクタを用いた配線の接続は、遊技機の組立作業やメンテナンスを行う際に利便であり、これにより遊技機の生産性や保守・管理の容易性が向上されているといえる。また、公知の遊技機のようにケーブルを共通化していれば、それだけ配線数が削減されて外ノイズの低減にもつながると考えられる。
【特許文献１】特開２００２−２８２４４１号公報（第５頁、図２、図３）
【発明の開示】
【発明が解決しようとする課題】
【０００５】
ところで、パチンコ機のように遊技機本体である枠体に対して遊技盤が脱着可能となっている遊技機では、新機種への変更を目的として遊技盤だけが新しいものと交換される場合がある。さらには、遊技場において製品の稼働を一時中断し、遊技盤とは別に遊技機本体を次の稼働機会まで保管しておく状況もあり得る。この場合、遊技機本体から遊技盤を取り外し、さらに遊技場の島設備から遊技機本体を取り外した状態で、これが保管にまわされる。
【０００６】
このような遊技盤の交換や遊技機本体の保管が行われる際には、ユニット間での電気経路の接続を解除するため、各所のコネクタが抜き取られた状態となる。この場合、短期間または長期間にわたってコネクタが空き状態のまま放置されるため、この間にコネクタ内部に塵埃等の異物が入り込むことがある。このような状況にあっては、遊技機本体の保管中にコネクタの端子に異物が付着し、これを再度稼働させる際にコネクタが接触不良を生じるおそれがある。
【０００７】
そこで本発明は、遊技機におけるコネクタの保護に有効な技術の提供を課題としたものである。
【課題を解決するための手段】
【０００８】
本発明の遊技機は、コネクタが空き状態となる場合にこれを保護する手段を有し、また、コネクタに接続を試みるときは、コネクタを保護する手段を自動的に取り除く手段を有する。コネクタを保護する手段は、コネクタ外部からの異物進入を有効に阻止することにより、コネクタ内部の端子を正常状態に保持することができる。
【０００９】
（解決手段１）
このため本発明の遊技機は、その基本構成として遊技機本体に配設されて遊技動作に必要な処理を行う遊技ユニットと、この遊技ユニットに接続される電気経路と、この電気経路の接続を行うためのコネクタとを備えたものである。
【００１０】
その上で本発明の遊技機は、コネクタが非接続の状態にあるときコネクタを覆うカバー手段と、コネクタへの接続動作がなされる場合、この接続動作に伴いカバー手段による覆いを除去する除去手段とを備える。
【００１１】
このような構成により、コネクタが非接続で空き状態になると、カバー手段によりコネクタが覆われるため、外部からの異物進入等に対して有効に保護される。またコネクタの接続が行われる場合は、除去手段によりカバー手段の覆いが除去されるので、コネクタの接続作業に際してカバー手段を別途取り除く手間が必要にならない。
【００１２】
なお、上記の「コネクタ」には遊技機本体、遊技ユニットおよび電気経路の各所に配置されるコネクタ類が含まれる。いずれにしても、コネクタが非接続状態になると、これをカバー手段により覆うことで、コネクタを有効に保護することが可能となる。
【００１３】
また「カバー手段」には、コネクタを全面的に覆うものだけでなく、部分的に覆うものも含まれる。したがって、コネクタ保護の目的を達成できる態様であれば、特に構造的な制約はない。
【００１４】
さらに、上記の「コネクタ」を１組（２つのもの）として考えると、互いに接続される２つの「コネクタ」の両方に「カバー手段」および「除去手段」が適用される態様であってもよいし、あるいは、いずれか一方の「コネクタ」だけに「カバー手段」および「除去手段」が適用される態様であってもよい。
【００１５】
（解決手段２）
上記の解決手段１において、本発明の遊技機は、コネクタの接続状態を解除する解除動作がなされる場合、この解除動作に伴いカバー手段による覆いを復帰させる復帰手段をさらに備えるものであってもよい。
【００１６】
この場合、コネクタの接続動作に伴い、カバー手段の覆いが一旦は除去された状態となるが、コネクタの接続が解除されると、復帰手段によりカバー手段の覆いが元どおりになるため、コネクタが空き状態のまま晒されることがなく、その保護がより強固なものとなる。
【００１７】
（解決手段３）
上記の解決手段１，２において、カバー手段は、コネクタの覆いとなるカバー本体と、コネクタの接続方向でみて、その前面側を閉塞する閉塞位置と前面側から外側へ退避した退避位置との間にて、カバー本体を変位自在に支持する支持部材とを含む態様が好ましい。このような態様であれば、カバー本体がコネクタ（ハウジング）の外側に退避してコネクタの前面側を開放することができるので、コネクタの接続時にコネクタ（ハウジング）の内側にカバー本体が位置することがない。このため、コネクタの内部にカバー本体を収容するための空間を確保する必要がなく、それだけコネクタの嵌合長さを短くすることができる。
【００１８】
（解決手段４）
上記の解決手段３において、除去手段は、支持部材に形成されてコネクタの接続方向に突出し、上記のコネクタに対してその接続相手となるコネクタが相対的に押し込まれるとき、この押し込みに伴い接続相手のコネクタに当接する当接部を含むものであり、この当接部が接続相手のコネクタに当接しながら相対的に案内されることで、支持部材とともにカバー本体を閉塞位置から退避位置に向けて変位させることができるものとなっている。
【００１９】
このような態様により、除去手段が機構的な要素により実現されるため、接続相手となるコネクタの押し込み動作を利用して、カバー本体をスムーズに退避位置に向けて変位させることができる。なお、ここでいう「接続相手となるコネクタ」には、コネクタの本体だけでなく、その付属物も含まれる。
【００２０】
（解決手段５）
また上記の解決手段４において、除去手段は、コネクタに対してその接続相手のコネクタが相対的に押し込まれるとき、この押し込み動作の初期において当接部を接続相手のコネクタに当接させ、この後のさらなる押し込み動作に伴い、カバー本体を接続相手のコネクタに当接させることでカバー本体を待避位置に向けて変位させることもできる。
【００２１】
この場合、接続相手のコネクタの押し込みに伴い、除去手段による機構的な動作が段階的に行われる。具体的には、押し込み動作の初期段階では当接部による案内によりカバー本体の変位動作が行われ、その後の段階に移行すると、カバー本体自身が押されることでその変位動作が行われる。したがって、機構的に摩擦・接触を生じる箇所が当接部だけに集中せず、複数の箇所で分担しながら機構的な動作を実現することができるので、耐久性に優れた構造となる。
【００２２】
（解決手段６）
上記の解決手段４，５において、接続相手となるコネクタは、コネクタに嵌合するコネクタ本体と、このコネクタ本体に付設して形成され、その押し込み動作に伴い当接部を相対的に案内する案内片とを含む態様が好ましい。
【００２３】
この場合、コネクタ本体と案内片とでそれぞれの役割が異なるため、これらコネクタ本体および案内片をそれぞれの機能に適した形態とすることができる。したがって、コネクタ本体はその本来の端子接続機能に適した形態とすることができるし、一方、案内片は当接部を案内するのに適した形態とすることができるので、コネクタ本体にむりやり案内片の機能を持たせたり、そのためにコネクタ本体を不必要に大型化したりする必要がない。
【００２４】
（解決手段７）
本発明の構成に上記の除去手段と復帰手段とが合わせて含まれる場合、両者はコネクタの抜き差しに際して逆の作用を行うものであることから、除去手段および復帰手段の構成が互いに衝突を生じない態様とすることが好ましいといえる。
【００２５】
このため上記の解決手段３において、復帰手段は、支持部材とともにカバー本体を閉塞位置に変位させる方向への付勢力を有した付勢部材を含むものであり、この付勢部材は、コネクタにその接続相手のコネクタが嵌合された状態で、その付勢力に抗してカバー本体が開放位置に変位するのを許容することができるものとなっている。
【００２６】
上記の付勢部材により、復帰手段による本来の機能が具体的に実現されるとともに、その付勢力に抗してカバー本体の変位が許容されるため、除去手段による除去動作を妨げることなく、復帰手段と除去手段とを協調して機能させることができる。
【００２７】
（解決手段８）
上記の解決手段１から７においては、特にコネクタの配置が特定されていないが、本発明の遊技機において、遊技ユニットが遊技機本体に対して脱着可能である場合、遊技ユニットおよび遊技機本体にコネクタと接続相手のコネクタとが１つずつ組をなして配設されることにより、遊技機本体に対する遊技ユニットの脱着動作に連動してコネクタと接続相手のコネクタとが互いに抜き差しされる態様がより好ましい。
【００２８】
すなわち、遊技機本体に対して遊技ユニットが脱着可能であれば、目的に応じて遊技ユニットの交換を容易に行うことができる。このとき、上記のように遊技ユニットの脱着動作とコネクタの抜き差し動作とが連動して行われるものであれば、遊技ユニットの交換に際して一々コネクタの抜き差しを行う必要がないので、交換時の作業性が大きく向上する。
【００２９】
（解決手段９）
さらに上記の解決手段８において、遊技ユニットは、遊技機本体をなす枠体に対してその前面側または背面側から取付可能な遊技盤であり、遊技機本体をなす枠体は、遊技盤をその左右いずれかの側縁部にて前後方向に回動可能に支持するとともに、この回動に伴って遊技盤を着脱可能であることがより好ましい。
【００３０】
この場合、遊技盤の脱着作業を容易に行うことができるし、その脱着作業に連動して遊技盤側のコネクタと枠体側のコネクタの抜き差しが自動的に行われるので、遊技盤と枠体との間の配線作業を改めて行う必要がない。
【００３１】
（解決手段１０）
より実用に適した遊技機は、例えば上記の解決手段９において、枠体にコネクタおよびカバー手段が配設される一方、接続相手のコネクタが遊技盤に配設されることにより、遊技盤が取り外された状態で、枠体においてコネクタがカバー手段により覆われるものとなっている。
【００３２】
すなわち、遊技場において遊技機の稼働を一時停止し、枠体だけを別途保管にまわすような場合、枠体から遊技盤が取り外されると、枠体側のコネクタがカバー手段により覆われた状態で保護される。このため、短期間または長期間にわたる保管中にコネクタ内部に塵埃が滞留したり、異物が進入したりすることがなく、次の稼働機会まで端子を正常な状態で保持することができる。
【発明の効果】
【００３３】
本発明の遊技機は、非接続状態にあるコネクタを保護することで、しばらく稼働を中止した後であっても、直ちにこれを正常に動作させることができる。また短時間内のコネクタの抜き差し作業を行う場合であっても、空き状態のコネクタが確実に保護されるため、不所望にコネクタ内部の端子等を損傷する危険性がなくなる。
【発明を実施するための最良の形態】
【００３４】
以下、本発明をパチンコ機に適用した一実施形態について、次に掲げる項目に沿って各対応図面を参照しながら説明する。
【００３５】
１．一実施形態の概要（図１）
１−１．枠体
１−２．遊技盤
１−３．その他の遊技ユニット（図２）
２．電気経路（図２）
２−１．電源系統
２−２．信号系統
３．ドロアコネクタ（図３，図４）
４．コネクタカバー（図５）
５．接続相手のドロアコネクタ（図６）
６．ドロアコネクタの相対関係（図７）
７．付勢部材（図７）
８．各部の構造（図７）
８−１．基枠側
８−２．遊技盤側
９．除去手段
９−１．当接部
９−２．当接部と案内片との相対関係（図８）
９−３．支持部材と案内片との相対関係
９−４．ドロアコネクタの接続動作（図９）
９−４−１．押し込み初期
９−４−２．押し込み中期（図１０）
９−４−３．押し込み終期（図１１）
９−４−４．接続状態（図１２）
９−５．復帰手段
１０．一実施形態による利点
１１．その他の実施形態についての言及
１１−１．内開き式コネクタカバー（図１３）
１１−２．両側外開き式コネクタカバー（図１４）
１１−３．その他
【００３６】
（１．一実施形態の概要）
図１は、一実施形態となるパチンコ機１を示している。このパチンコ機１は遊技機本体となる枠体２に対して遊技盤４が交換可能なタイプのものであり、ここでは遊技盤４が枠体２の前面側から脱着できる仕様となっている。
【００３７】
（１−１．枠体）
公知のように、枠体２には木製の外枠２ａのほか、遊技盤４を支持する基枠２ｂ、ガラス枠２ｃ等が含まれる。通常、外枠２ａは島設備に固定されているが、その他の基枠２ｂやガラス枠２ｃ等は、いずれも前面側にて開閉（回動）可能となっている。
【００３８】
図１にはガラス枠２ｃが手前側へ開かれた状態で示されており、それゆえ枠体２の内部構成が露出して示されている。枠体２の内部には、発射レール６や打球槌８、球送り機構（参照符号なし）等の機構要素が配設されているほか、スピーカ装置１０のような演出要素も配設されている。なお、図１には示されていないが、ガラス枠２ｃの前面側にも左右の上隅部にそれぞれスピーカ装置が配設されており、これらは高音出力用（ツィータ）となっている。
【００３９】
その他、ガラス枠２ｃの前面側には装飾体とともに枠ランプが配設されているほか、その下縁部に上皿が形成されている。またパチンコ機１がＣＲ機仕様である場合には、度数表示器や球貸・精算ボタン等が適宜配置されている。また枠体２にはガラス枠２ｃの下方に下皿１２や発射ハンドル１４等が配設されている。
【００４０】
（１−２．遊技盤）
遊技盤４の前面（盤面）には、ほぼ円形の遊技領域が形成されている。図１には示されていないが、遊技領域内には多数の誘導釘や風車、各種入賞口、役物装置、装飾体等が配設されている。
【００４１】
本実施形態では、遊技盤４が単独で枠体２に対して前後方向に開閉（回動）できる構造となっている。すなわち、遊技盤４はその一側縁部（ここでは左側縁部）がヒンジ機構１６を介して枠体２に支持されるものとなっており、それゆえ図１に示されるように、ガラス枠２ｃを開いた状態で、さらに遊技盤４を枠体２から分離して手前側へ回動させることができる。この状態で遊技盤４を横方向、つまり右方向へ引き抜くようにしてスライドさせると、遊技盤４を取り外すことができる。
【００４２】
これに対し、図１に示される状態から遊技盤４を奥側へ押し込むと、基枠２ｂに遊技盤４を嵌め込むようにして取り付けることができる。遊技盤４の右側縁部には、その上下にそれぞれ留め具１８が設けられており、遊技盤４を基枠２ｂに嵌め込んだ状態で上下の留め具１８を右側へスライドさせると、遊技盤４が基枠２ｂに固定される。
【００４３】
このように、パチンコ機１において遊技盤４は枠体２に対して容易に脱着できる構造であり、それゆえ遊技場において既存の枠体２はそのままで、遊技盤４だけを遊技ユニットとして交換できる仕様となっている。
【００４４】
（１−３．その他の遊技ユニット）
図２は、パチンコ機１の背面を具体的に示している。この背面において、枠体２には球タンク２０やタンクレール２２、賞球装置２４、発射モータ２６等の機構要素が設けられている。また枠体２には、分電基板２８や電源ユニット基板３０等の電源要素が設けられているほか、賞球装置２４や発射モータ２６の作動を制御する払出制御基板３２が設けられている。なお、本実施形態のパチンコ機１はＣＲ機仕様であるため、枠体２にインタフェース基板３４が設けられている。
【００４５】
一方、遊技盤４の背面には、主制御基板３６をはじめとして演出制御基板（図示されていない）、アンプ基板３８等の各種制御基板が配設されている。なお、演出制御基板は背面カバー３９の内側に隠れているため視認されない。また、これら以外にも枠体２または遊技盤４には各種中継基板、枠状態表示基板等が配設されている。
【００４６】
なお、背面カバー３９の内側には主制御基板３６の上部分もまた隠されているが、本実施形態では、その基板ボックスにあるカシメ部（封止部）が背面カバー３９を通じて確認可能（視認・接触・操作等のアクセスが可能）となっている。
【００４７】
具体的には、背面カバー３９には２つの窓部３９ａが開口して形成されており、これら窓部３９ａはパチンコ機１の背面側からみて、ちょうど基板ボックスのカシメ部と重なり合う位置にある。また窓部３９ａは、その開口領域内にカシメ部の封止ねじ列（１番〜４番）が全て入るだけの大きさを有している。このため、背面カバー３９により主制御基板３６等を有効に保護できるとともに、遊技場において作業者が特に背面カバー３９を開くことなく、基板ボックスの開封の有無や開封回数を容易に確認することができる。
【００４８】
その他、背面カバー３９の内側には主制御基板３６だけでなく払出制御基板３２（カシメ部を有するもの）が隠れている態様であってもよい。また背面カバー３９には、窓部３９ａに代えてカシメ部を確認可能な切欠部が形成されていてもよい。また背面カバー３９に窓部３９ａを形成する代わりに、基板ボックスのカシメ部を覆う部分（背面カバー３９の下部分）だけを透明材料から構成してもよい。あるいは、背面カバー３９の全体を透明材料から構成することもでき、この場合は窓部や切欠部等を設ける必要はない。
【００４９】
（２．電気経路）
図２には示されていないが、上記の各種機構要素や制御基板類はケーブル等を通じて相互に接続されており、その接続関係に基づき、各種ユニット間にて各種系統の電気経路が構成されている。
【００５０】
（２−１．電源系統）
先ず電源系統として、分電基板２８には外部電源（ＡＣ２４Ｖ）が接続されており、分電基板２８に取り込まれた外部電源は、そこからさらに電源ユニット基板３０およびインタフェース基板３４に分配されている。外部電源は、電源ユニット基板３０にて直流電源（ＤＣ３４Ｖ，１２Ｖ等）に変換され、そこから払出制御基板３２に供給されている。
【００５１】
直流電源（電力）は、払出制御基板３２を経由して次に主制御基板に供給され、さらに主制御基板３６を経由して演出制御基板、アンプ基板３８等に順次橋渡しするようにして供給されている。なお、ロジック回路用の低圧電源（５Ｖ）は、各制御基板の電源回路にて個別に生成されている。
【００５２】
（２−２．信号系統）
また主な信号系統として、主制御基板３６と払出制御基板３２との間、主制御基板３６と演出制御基板との間、そして演出制御基板とアンプ基板３８との間はそれぞれ信号線により接続されている。その他にも、制御基板類には各種センサ類からの信号線や中継基板、外部出力端子板等につながる信号線等が接続されており、これらが系統立てて適切に配線されている。
【００５３】
ここで、本実施形態では遊技盤４が交換可能となっているが、その交換作業（既存遊技盤の取り外し、新規遊技盤の取り付け）に際して枠体２と遊技盤４との間、つまり、払出制御基板３２と主制御基板３６との間にて配線作業を一々行う必要がない仕様となっている。このような仕様を実現するため、枠体２と遊技盤４との間の配線をドロアコネクタにより接続可能となっており、以下にドロアコネクタについて説明する。
【００５４】
（３．ドロアコネクタ）
図３は、ガラス枠２ｃが開かれた状態で枠体２を部分的に示している。図３では基枠２ｂから遊技盤４が取り外された状態で示されており、この基枠２ｂには、遊技盤４が嵌め込まれる位置に２つのドロアコネクタ４０が横方向に並べて配設されている。前面側からみて、基枠２ｂにはその右下隅部の位置に矩形のコネクタベース４２が配設されており、２つのドロアコネクタ４０はコネクタベース４２を介して基枠２ｂに支持されている。
【００５５】
また図４は、遊技盤４の背面側を部分的に示している。上記のドロアコネクタ４０に対応して、遊技盤４にも２つのドロアコネクタ４４が横方向に並べて配設されている。これらドロアコネクタ４４は背面側からみて遊技盤４の左下隅部に位置しており、この位置に矩形のコネクタベース４６が配設されている。また２つのドロアコネクタ４４はコネクタベース４６を介して遊技盤４に支持されている。
【００５６】
ここで、遊技盤４が基枠２ｂに取り付けられた状態で、これらドロアコネクタ４４は基枠２ｂのドロアコネクタ４０にちょうど嵌合する位置にある。ドロアコネクタ４０，４２は、それぞれのコネクタベース４２，４６に対して上下・左右方向（平面方向）に変位可能に取り付けられており、これらが嵌合するときに互いの変位を許容しながら自動的に相互の位置決めをする機能を有している。このため、上記のように遊技盤４の左側縁部が基枠２ｂに支持された状態で、これを奥側へ回動させるようにして基枠２ｂに嵌め込むと、この動作に連動して両者のドロアコネクタ４０，４２が互いに位置決めしながら正確に嵌合されるものとなっている。
【００５７】
（４．コネクタカバー）
図５は、基枠２ｂに配設されているドロアコネクタ４０を具体的に示している。コネクタベース４２には、ドロアコネクタ４０に付設して可動式のコネクタカバー４８が取り付けられている。例えば図５中（ａ）に示されている状態で、コネクタカバー４８はドロアコネクタ４０の前面を覆う位置（以下、「閉塞位置」と呼称する。）にあり、一方、図５中（ｂ）に示されている状態で、コネクタカバー４８はドロアコネクタ４０の前面から外側へ退避した位置（以下、「退避位置」と呼称する。）にある。
【００５８】
本実施形態の場合、左右に並べられた２つのドロアコネクタ４０のそれぞれに付設してコネクタカバー４８が取り付けられており、これら２つのコネクタカバー４８が左右で対称の構造・仕様となっている。以下、左右のコネクタカバー４８を対称のものとして各部の構成を説明する。
【００５９】
左右のコネクタカバー４８は、それぞれ対応するドロアコネクタ４０の前面を覆うカバー本体４８ａを有しており、このカバー本体４８ａはドロアコネクタ４０の前面に沿って上下方向に延びている。一方、ドロアコネクタ４０の上下には、それぞれ支持部材４８ｂが一対をなして配置されており、カバー本体４８ａはその上下端がそれぞれ支持部材４８ｂに連結されている。
【００６０】
例えば図５中（ａ）に示される状態で、上下の支持部材４８ｂはいずれもコネクタベース４２から前面側に向けて突出し、それぞれドロアコネクタ４０の上下を水平に延びている。一方、コネクタベース４２には、上下の支持部材４８ｂにそれぞれ対応して、ドロアコネクタ４０の上下に一対の支持片４２ａが形成されており、これら支持片４２ａもまたコネクタベース４２から前面側に突出している。
【００６１】
さらに、上下の支持部材４８ｂにはそれぞれ上下方向に突出するピボット４８ｃが一体にして形成されており、支持部材４８ｂはこれらピボット４８ｃにて支持片４２ａに回動自在に支持されている。これにより、上下の支持部材４８ｂとともにカバー本体４８ａが水平方向に回動できるとともに、コネクタカバー４８が全体として水平方向に回動できる構造となっている。
【００６２】
ここで、前面側からみて左側のコネクタカバー４８は左方向にて回動可能であり、逆に右側のコネクタカバー４８は右方向にて回動可能である。いずれにしても、左右のコネクタカバー４８は上記の閉塞位置（図５中（ａ））と退避位置（図５中（ｂ））との間にて回動することができるとともに、各コネクタカバー４８が閉塞位置および退避位置に到達すると、それ以上の回動は規制されるものとなっている。
【００６３】
（５．接続相手のドロアコネクタ）
図６は、遊技盤４に配設されているドロアコネクタ４４をより具体的に示している。基枠２ｂのドロアコネクタ４０からみると、遊技盤４のドロアコネクタ４４が接続相手となる。接続相手のドロアコネクタ４４は、遊技盤４の脱着作業に連動して基枠２ｂのドロアコネクタ４０に対し抜き差しされる。なお本実施形態では、遊技盤４のドロアコネクタ４４がリセプタクル（雌コネクタ）の形状を有し、基枠２ｂのドロアコネクタ４０がプラグ（雄コネクタ）の形状を有している。
【００６４】
遊技盤４のコネクタベース４６には、左右のドロアコネクタ４４をそれぞれ取り囲むようにしてケーシング４６ａが一体にして形成されており、個々のドロアコネクタ４４は対応するケーシング４６ａ内に収容された状態にある。このため図６中、左右のドロアコネクタ４４はいずれも外側面が視認されない。
【００６５】
また遊技盤４のコネクタベース４６には、左右のケーシング４６ａの上下にそれぞれ付設して案内片４６ｂが形成されている。これら案内片４６ｂはケーシング４６ａの外側面との間に一定の隙間を存した位置にあり、ケーシング４６ａとともにコネクタベース４６から突出している。
【００６６】
（６．ドロアコネクタの相対関係）
次に図７は、基枠２ｂのドロアコネクタ４０と遊技盤４のドロアコネクタ４４とが相対されたときの状態を示している。上記のように遊技盤４が基枠２ｂに取り付けられるとき、遊技盤４が奥側へ向けて押し込まれていくと、やがて基枠２ｂのドロアコネクタ４０に相対するようにしてその直前に遊技盤４のドロアコネクタ４６が位置付けられる。このとき左右２組のドロアコネクタ４０，４４について共通の取付軸線Ｌ１を規定すると、これらドロアコネクタ４０，４４は取付軸線Ｌ１を中心として左右対称の位置関係となる。なお実際の取付軸線Ｌ１は、ヒンジ機構１６を中心とした一定の曲率を有しているが、説明の便宜上、ここでは取付軸線Ｌ１を直線として扱っている。
【００６７】
また図７に示される状態で、左右のドロアコネクタ４０，４４は、いずれもほぼ正面から向き合う位置関係にあり、このまま取付軸線Ｌ１に沿ってドロアコネクタ４０，４４を近接させると、これらは相互に位置決めしながら嵌合することとなる。
【００６８】
（７．付勢部材）
コネクタベース４２には、左右のコネクタカバー４８に付設してねじりコイルばね５０が配置されている。ねじりコイルばね５０は、例えば支持部材４８ｂと支持片４２ａとの間に配置され、そのコイル中心にはピボット４８ｃが位置付けられている。また、ねじりコイルばね５０の一端部５０ａはコネクタベース４２に固定されており、他端部５０ｂは支持部材４８ｂに係止されている。この状態で、ねじりコイルばね５０の付勢力（反発力）は支持部材４８ｂをコネクタベース４２の中心（取付軸線Ｌ１）に向けて回動させるべく作用している。したがって図７中、例えば左側のコネクタベース４２は、ねじりコイルばね５０により反時計回り方向に付勢されており、逆に右側のコネクタベース４２は時計回り方向に付勢されている。
【００６９】
一方、図７に示される状態で支持部材４８ｂはその基端面がコネクタベース４２の前面に当接しており、これがストッパとして作用するため、これによりコネクタカバー４８の回動は規制されている。したがって、コネクタカバー４８は通常、ねじりコイルばね５０の付勢力により図７に示される閉塞位置で保持される。なお、ねじりコイルばね５０は図７にのみ示されており、その他の図面では省略されている。
【００７０】
（８．各部の構造）
また図７には、取付軸線Ｌ１を挟んで一方（この例では右側）にドロアコネクタ４０，４４等の断面形状（横断面）が示されている。図示の断面から明らかなように、プラグ（雄コネクタ）側のドロアコネクタ４０はその内部にプラグコア４０ａを有しており、これに対応して、リセプタクル（雌コネクタ）側のドロアコネクタ４４は、その内部にリセプタクルハウジング４４ａを有している。また、ドロアコネクタ４０，４４の嵌合関係でみると、基枠２ｂのドロアコネクタ４０は全体として雄型のハウジング形状を有し、一方、遊技盤４のドロアコネクタ４４は雌型のハウジング形状を有している。
【００７１】
なお図示されていないが、プラグコア４０ａおよびリセプタクルハウジング４４ａには、それぞれ上記の電源系統または信号系統の電気経路を接続するための端子列が適宜形成されている。
【００７２】
（８−１．基枠側）
また基枠２ｂのコネクタベース４２には、左右のドロアコネクタ４０における基部の周囲をそれぞれ取り巻くようにして貫通孔４２ｂが形成されており、各ドロアコネクタ４０は貫通孔４２ｂ内に収容された状態でコネクタベース４２に支持されている。貫通孔４２ｂはドロアコネクタ４０の外形より僅かに大きく形成されており、それゆえ各ドロアコネクタ４０と貫通孔４２ｂの内周面との間に適度な隙間が確保されている。これにより、各ドロアコネクタ４０は貫通孔４２ｂ内にて上下・左右方向への変位を許容されている。
【００７３】
（８−２．遊技盤側）
同様に遊技盤４のコネクタベース４６では、各ドロアコネクタ４４はケーシング４６ａ内に収容された状態でコネクタベース４６に支持されている。ケーシング４６ａ内の空間はドロアコネクタ４４の外形より僅かに大きく形成されており、それゆえ各ドロアコネクタ４４とケーシング４６ａの内周面との間に適度な隙間が確保されている。これにより、各ドロアコネクタ４４はケーシング４６ａ内にて上下・左右方向への変位を許容されている。
【００７４】
（９．除去手段）
次に、ドロアコネクタ４０，４４の接続動作について説明する。図７に示されているように、ドロアコネクタ４０，４４が接続されていない状態（非接続）にあるとき、基枠２ｂのドロアコネクタ４０では、コイルばね５０の付勢力によりコネクタカバー４８が閉塞位置に保持されている。
【００７５】
この状態から、遊技盤４の回動に伴いドロアコネクタ４４が基枠２ｂのドロアコネクタ４０に対して相対的に押し込まれると、コイルばね５０の付勢力に抗してコネクタカバー４８が左右に押し開かれるものとなっている。これにより、基枠２ｂのドロアコネクタ４０はその前面側が開放され、接続相手となる遊技盤４のドロアコネクタ４４に嵌合することができる。
【００７６】
（９−１．当接部）
以上がコネクタカバー４８の開放動作の概略であるが、本実施形態では、上記のようなコネクタカバー４８の開放動作が機構的に実現されている。
すなわち、各コネクタカバー４８の支持部材４８ｂには、その閉塞位置で前方に突出する部分に当接部４８ｄが形成されており、接続相手のドロアコネクタ４４が相対的に押し込まれるとき、この当接部４８ｄが最初に当接する位置にある。
【００７７】
また各コネクタカバー４８の支持部材４８ｂには、上記の当接部４８ｄに連なるようにして突条部４８ｅが形成されており、この突条部４８ｅは支持部材４８ｂの一側縁に沿って細長く延びている。ただし、支持部材４８ｂの先端から基端の方向へみると、突条部４８ｅは支持部材４８ｂの基端までは到達しておらず、図７に示される状態ではコネクタベース４２の支持片４２ａよりも前面側となる位置で途切れている。また、突条部４８ｅの途切れた位置には、上記のコイルばね５０の他端部５０ｂが係止されている。
【００７８】
当接部４８ｄは左右のコネクタカバー４８のそれぞれについて、上下の支持部材４８ｂの外側角部に一体的に形成されている。当接部４８ｄは突条部４８ｅから半島形状に突き出た外形を有しており、その外側が曲面（円弧）形状に成形されている。
【００７９】
また当接部４８ｄは、上側の支持部材４８ｂではその上面からさらに上方へ突出するようにして形成されており、逆に下側の支持部材４８ｂでは、その下面から下方に突出するように形成されている。なお上記の突条部４８ｅもまた、当接部４８ｄと同様に支持部材４８ｂの上下面からそれぞれ突出するようにして形成されている。
【００８０】
（９−２．当接部と案内片との相対関係）
図８は、ドロアコネクタ４０，４４が相対されたときの状態をその縦断面により示している。図示のように、ドロアコネクタ４０，４４が上下方向に関して正しく相対された状態では、上下でそれぞれ当接部４８ｄと案内片４６ｂとが同じ高さ（レベル）にて対向する位置関係にある。
【００８１】
（９−３．支持部材と案内片との相対関係）
また図８に示される状態では、上下いずれも支持部材４８ｂと案内片４６ｂとの間にはレベル差が設けられている。具体的には、ドロアコネクタ４０，４４の上側では支持部材４８ｂよりも案内片４６ｂの方が一段高い位置にあり、逆に下側では支持部材４８ｂよりも案内片４６ｂの方が一段低い位置にある。
【００８２】
（９−４．ドロアコネクタの接続動作）
図９は、ドロアコネクタ４０に対して接続相手のドロアコネクタ４４が押し込まれるときの初期動作を示している。上述した相対時の位置関係から、ドロアコネクタ４４の押し込み初期においては、図９中に２点鎖線で示されているように当接部４８ｄが案内片４６ｂに対して最初に当接する。このとき上下の支持部材４８ｂは、いずれも先端部が僅かにドロアコネクタ４４のケーシング４６ａに重なり合っている。
【００８３】
（９−４−１．押し込み初期）
最初に当接部４８ｄが案内片４６ｂに当接した状態から、さらに接続相手のドロアコネクタ４４が押し込まれると、この押し込み動作に伴い、案内片４６ｂの前端面に沿って当接部４８ｄが案内される。このとき左右のコネクタカバー４８において、それぞれ当接部４８ｄは支持部材４８ｂの回動中心となるピボット４８ｃから左右方向にオフセットされた位置にあるので、偶力によりいずれもオフセット方向に変位を生じることとなる。
【００８４】
具体的には、左側のコネクタカバー４８であれば、当接部４８ｄが案内片４６ｂの前端面に沿って左方向へスライドし、逆に右側のコネクタカバー４８であれば、当接部４８ｄが案内片４６ｂの前端面に沿って右方向へスライドする。また、このとき上下の支持部材４８ｂの先端部は、図９に示されているように案内片４６ｂとケーシング４６ａとの間に入り込むことができる。これにより、左右のコネクタカバー４８がそれぞれ左右方向へ回動することで、上記の閉塞位置から退避位置に向けて変位を開始することとなる。
【００８５】
またこの後、基枠２ｂのドロアコネクタ４０に対してさらに接続相手のドロアコネクタ４４が押し込まれていくと、これに伴い、左右のコネクタカバー４８はさらに左右方向へ開かれるようにして回動する。なお図９に示されている段階では、ドロアコネクタ４０の前面側が未だ半分程度までカバー本体４８ａにより覆われた状態にある。
【００８６】
（９−４−２．押し込み中期）
図１０は、接続相手となるドロアコネクタ４４の押し込みがある程度まで進んだときの状態を示している。ドロアコネクタ４４の押し込み初期においては、上記のように左右のコネクタカバー４８において当接部４８ｄが案内片４６ｂの前端面に沿って案内されている。
【００８７】
これに対し、ドロアコネクタ４４の押し込みがある程度まで進んだ段階に移行すると、図１０に示されているように、当接部４８ｄが案内片４６ｂの前端面から左右の外側へはみ出し、代わって今度はカバー本体４８ａの一側縁（取付軸線Ｌ１に近い側）がドロアコネクタ４４（またはケーシング４６ａ）の前端面に当接する。この場合、左側のカバー本体４８ａであれば、その右側縁が当接し、逆に右側のカバー本体４８ａであれば、その左側縁が当接する。
【００８８】
この状態で、ドロアコネクタ４４の押し込みがさらに進行すると、この押し込み動作に伴い、カバー本体４８ａがドロアコネクタ４４（またはケーシング４６ａ）の前端面に沿って案内される。この段階において、左右のカバー本体４８ａはいずれも回動中心となるピボット４８ｃから左右方向にオフセットされた位置まで変位しているため、カバー本体４８ａがドロアコネクタ４４（またはケーシング４６ａ）に押されると、ピボット４８ｃを中心としてオフセット方向への変位を生じることとなる。
【００８９】
具体的には、左側のコネクタカバー４８であれば、カバー本体４８ａがドロアコネクタ４４（またはケーシング４６ａ）の前端面に沿って左方向へスライドし、逆に右側のコネクタカバー４８であれば、カバー本体４８ａが右方向へスライドする。これにより、左右のコネクタカバー４８はさらに左右方向へそれぞれ回動するため、退避位置に向けて変位し続けることとなる。また同様に、この後さらに接続相手のドロアコネクタ４４が押し込まれていくと、これに伴い、左右のコネクタカバー４８はさらに左右方向へ開かれるようにして回動する。
【００９０】
なお図１０に示されている段階まで押し込みが進むと、ドロアコネクタ４０の前面側からカバー本体４８ａが外側（押し込み方向でみてコネクタの嵌合領域から外れた位置であり、雌雄コネクタの嵌合動作に干渉しない方向）へ大きく変位するため、その前面側がほとんど覆われていない状態となる。
【００９１】
（９−４−３．押し込み終期）
図１１は、ドロアコネクタ４４の押し込みが終期の段階まで進んだときの状態を示している。この段階まで移行すると、図１１に示されているように左右のコネクタカバー４８はほとんど退避位置の直前まで変位している。これに伴い、ドロアコネクタ４０の前面側は開放された状態となるため、ドロアコネクタ４０，４４が互いに先端部分にて嵌り合うことができる。
【００９２】
また押し込み終期の段階では、カバー本体４８ａがケーシング４６ａの前端面から左右の外側へ完全にはみ出し、今度はケーシング４６ａの外側面に当接した状態にある。この状態で、ドロアコネクタ４４の押し込みがさらに進行した場合であっても、カバー本体４８ａはケーシング４６ａの外側面に沿って相対的にスライド（摺動）するだけであるため、ここから先の段階でコネクタカバー４８の変位はほとんど生じない。
【００９３】
一方、ドロアコネクタ４０，４４は、これらの嵌合が進むにつれてその機能を発揮し、互いに位置変位を許容しながらプラグコア４０ａとリセプタクルハウジング４４ａとの相対的な位置決めを行い、これらを正確に結合させることができる。
【００９４】
（９−４−４．接続状態）
図１２は、ドロアコネクタ４０，４４が接続されたときの状態を示している。この接続状態において、相手のドロアコネクタ４４はその前端面がドロアコネクタ４０のコネクタベース４２にぴったり当接する位置まで押し込まれており、それゆえ、これ以上のドロアコネクタ４４の押し込みは規制されている。
【００９５】
また、接続相手のドロアコネクタ４４が最後まで押し込まれると、案内片４６ｂの前端面が突条部４８ｅに当接するので、図１２中（ａ）に示されているように、左右のコネクタカバー４８は左右方向に開かれた状態で位置を固定される。なお本実施形態では、左右のコネクタカバー４８の回動角度が約９０°となっている。
【００９６】
また図１２に示される状態で、基枠２ｂのドロアコネクタ４０と遊技盤４のドロアコネクタ４４とが相互に接続されると、枠体２の払出制御基板３２と遊技盤４の主制御基板３６との間にて電気経路（電源系統、信号系統等）が正しく接続されることとなる。
【００９７】
（９−５．復帰手段）
以上がドロアコネクタ４０，４４の接続動作に伴うコネクタカバー４８等の挙動であるが、次にドロアコネクタ４０，４４の接続を解除する作業に伴うコネクタカバー４８等の挙動について説明する。
【００９８】
ドロアコネクタ４０，４４の接続解除、つまり、その抜き取りは、遊技盤４の取り外し作業に連動して行われる。上記のように、ガラス枠２ｃが開放された状態で遊技盤４の留め具１８を外し、遊技盤４を手前側へ回動させると、これに伴い、ドロアコネクタ４０から接続相手のドロアコネクタ４４が抜き取られる。
【００９９】
この場合、左右のコネクタカバー４８は接続動作のときと逆の挙動を示す。具体的には、ドロアコネクタ４４の抜き取り動作、つまり、接続の解除動作の初期において、先ずドロアコネクタ４４が後退すると、案内片４６ｂの前端面が突条部４８ｅから離れるので、左右のコネクタカバー４８はコイルばね５０の付勢力で前面側へ僅かに回動し、カバー本体４８ａの一側縁をケーシング４６ａの外側面に当接させる（図１２→図１１）。
【０１００】
そして、ドロアコネクタ４０とドロアコネクタ４４との嵌合が外れると、カバー本体４８ａの一側縁がドロアコネクタ４０（またはケーシング４６ａ）の前端面に当接する（図１１→図１０）。これにより左右のコネクタカバー４８は、待機位置から閉塞位置に向けて次第に変位を開始することとなる。
【０１０１】
この後、ドロアコネクタ４４が後退していくにつれて左右のコネクタカバー４８はドロアコネクタ４０の前面側へ回り込むようにして回動する。そして、案内片４６ｂが当接部４８ｄから充分に離れる位置まで接続相手のドロアコネクタ４４が後退しきると、非接続状態となって左右のコネクタカバー４８が閉塞位置まで復帰する（図９→図７）。
【０１０２】
（１０．一実施形態による利点）
以上のように、遊技盤４の取り付け動作に連動して電気経路の接続作業が自動的に完了し、また遊技盤４の取り外し動作に連動して電気経路の切離作業がするため、パチンコ機１において遊技盤４の交換作業を行う際に、枠体２と遊技盤４との間で配線を抜き差しする作業（結線・縁切り）を一々行う必要がない。
【０１０３】
加えて本実施形態については、ドロアコネクタ４０，４４やコネクタカバー４８等の採用により、例えば以下の利点を見出すことができる。
【０１０４】
（１）遊技場においてパチンコ機１の稼働を一時的に取りやめ、枠体２から遊技盤４を取り外した状態で、これを短期間または長期間にわたって保管しておく場合、ドロアコネクタ４０がコネクタカバー４８に覆われた状態で保護される。このため、ドロアコネクタ４０の内部に塵埃が進入したり、異物が入り込んだりするのを確実に防止することができ、次回の稼働機会まで内部の端子を正常な状態に保持することができる。
【０１０５】
（２）あるいは、パチンコ機１の稼働中に遊技盤４の入れ替え作業を行う際、たとえ短時間といえども枠体２のドロアコネクタ４０が空き状態にあると、作業者の身体や工具等が触れて内部の端子を損傷するおそれがある。本実施形態では、このような短時間内であってもドロアコネクタ４０がコネクタカバー４８により覆われた状態で確実に保護されるため、遊技盤４の交換作業時に誤って端子を損傷することはない。
【０１０６】
（３）さらに、コネクタカバー４８による覆いにより端子の保護を行っていても、ドロアコネクタ４０，４４の接続作業に際して、コネクタカバー４８を別部品として枠体２から取り外す必要がない。このため、取り外し部品としてカバー部材を別途管理する必要がないし、また取り外し後のカバー部材等を紛失するような心配も必要ない。
【０１０７】
（４）また、ドロアコネクタ４０から相手のドロアコネクタ４４が抜き取られたときは、コイルばね５０の付勢力により左右のコネクタカバー４８が自動的に閉塞位置まで復帰する。このため、空き状態のドロアコネクタ４０が開放状態で放置されることがなく、コネクタカバー４８による保護がより確実なものとなる。
【０１０８】
（５）本実施形態では、コネクタカバー４８がドロアコネクタ４０の外側で変位可能な形態であるため、図１２中（ｂ）に示されているように、接続状態の嵌合長さＨを比較的短く抑えることができる（コネクタのロープロファイル化）。このため、枠体２の内部のように構造的に奥行きの制約がある場合であっても、嵌合長さＨを短くすることでドロアコネクタ４０，４４を好適に配置することが可能となる。
【０１０９】
（１１．その他の実施形態についての言及）
以上は一実施形態についての説明であるが、本発明の実施の形態がこれに制約されることはない。以下に、その他の実施形態についていくつか例を挙げて言及する。
【０１１０】
（１１−１．内開き式コネクタカバー）
先ず図１３は、一実施形態と異なる形態のコネクタカバーの例を示している。この場合、基枠２のドロアコネクタ４０’とその接続相手のドロアコネクタ４４’について、それぞれ内開き式のコネクタカバー１４８，１５０が設けられている。これらコネクタカバー１４８，１５０はいずれもヒンジを中心として開閉可能な構造であり、例えばねじりコイルばね（図示されていない）の付勢力によって各ドロアコネクタ４０’，４４’の前面側を閉塞する位置に保持されている。
【０１１１】
ドロアコネクタ４０’，４４’の接続動作に伴い、その押し込み初期において先ず基枠２ｂ側のコネクタカバー１４８が相手側のリセプタクルハウジング４４ａによって押し開かれ、これによりドロアコネクタ４０’，４４’が僅かに嵌合した状態となる。
【０１１２】
この後、押し込み中期に移行すると、ドロアコネクタ４０’の内部にて今度は相手側のコネクタカバー１５０がプラグコア４０ａにより押し開かれ、これにより両者の端子が結合可能となる。逆に、ドロアコネクタ４０’，４４’の接続が解除されると、両方のコネクタカバー１４８，１５０がそれぞれの前面側を覆う位置に復帰する。
【０１１３】
図１３に示される形態であれば、両方のドロアコネクタ４０’，４４’にそれぞれコネクタカバー１４８，１５０が設けられているため、遊技盤４を短期間または長期間にわたって保管する場合においても、空き状態のドロアコネクタ４４’を有効に保護することができる。なお、この場合はコネクタカバー１４８，１５０が内開き式（ハウジング内での開閉動作であり、接続方向でみてコネクタの嵌合領域内に位置する）であるため、その分のクリアランスＣが両方のドロアコネクタ４０’，４４’の内部にそれぞれ確保されている。
【０１１４】
（１１−２．両側外開き式コネクタカバー）
次に図１４は、一実施形態を変形・応用したコネクタカバーの例を示している。この場合、１つのドロアコネクタ４０’について２つのコネクタカバー４８’が設けられており、これら２つのコネクタカバー４８’が合わさってドロアコネクタ４０’の前面側を覆うものとなっている。なおドロアコネクタ４０’は、一実施形態の場合と比較して幅広タイプのものであり、それゆえ２つのコネクタカバー４８’によりその前面側を覆う態様がより好適であるといえる。
【０１１５】
図１４に示されている形態では、２つのコネクタカバー４８’が左右対称に回動し、その際、当接部４８ｄ’が案内片４６ｂ’に案内され、また、カバー本体４８ａ’がドロアコネクタ４４’（またはケーシング４６ａ’）に案内されることで、一実施形態とほぼ同様の相対関係により開閉動作することができる。
【０１１６】
（１１−３．その他）
（１）最初に説明した一実施形態では、コネクタカバーが基枠２のドロアコネクタ４０に設けられているが、接続相手のドロアコネクタ４４にコネクタカバーが設けられている態様であってもよい。
【０１１７】
（２）また一実施形態において、ドロアコネクタではない通常タイプのコネクタにもコネクタカバーを設けることができる。例えば、各種基板類に接続されるコネクタにコネクタカバーを設けることもできるし、逆にハーネスの先端にあるコネクタにコネクタカバーを設けることもでき、特にコネクタカバーの配置が限定されているものではない。
【０１１８】
（３）一実施形態では、ドロアコネクタ４０，４４による接続を基枠２ｂと遊技盤４との間に適用しているが、遊技盤４の背面側に設置される各種の制御基板と遊技盤４との接続をドロアコネクタにより行う態様であってもよい。またこれに付随して、その他の場所に適用されるドロアコネクタにコネクタカバーを設けることができる。
【０１１９】
（４）またドロアコネクタ４０，４４の嵌合関係は、プラグ側とリセプタクル側とが一実施形態と逆であってもよい。
【０１２０】
（５）本発明はパチンコ機１に代表される弾球式遊技機だけでなく、回胴式遊技機（メダルを用いるタイプおよび遊技球を用いるタイプ）としても実施可能である。
【図面の簡単な説明】
【０１２１】
【図１】パチンコ機における作業状態を示した斜視図である。
【図２】パチンコ機の背面図である。
【図３】パチンコ機の内部構造を部分的に示した正面図である。
【図４】遊技盤の背面を部分的に示した斜視図である。
【図５】基枠側のドロアコネクタおよびコネクタカバーの斜視図である。
【図６】遊技盤側のドロアコネクタの斜視図である。
【図７】基枠のドロアコネクタと遊技盤のドロアコネクタとの相対関係を示した平面図および部分断面図である。
【図８】図７中、ＶIII−ＶIII線に沿うドロアコネクタ等の断面図である。
【図９】ドロアコネクタの押し込み初期の状態を示した図である。
【図１０】ドロアコネクタの押し込み中期の状態を示した図である。
【図１１】ドロアコネクタの押し込み終期の状態を示した図である。
【図１２】ドロアコネクタの接続状態を示した平面図および水平断面図である。
【図１３】内開き式のコネクタカバーの例を示した図である。
【図１４】両外側開き式のコネクタカバーの例を示した図である。
【符号の説明】
【０１２２】
１    パチンコ機
２    枠体
４    遊技盤
４０    ドロアコネクタ
４２    コネクタベース
４４    ドロアコネクタ
４６    コネクタベース
４６ｂ  案内片
４８    コネクタカバー
４８ａ  カバー本体
４８ｂ  支持部材
４８ｄ  当接部
５０    コイルばね
【図１】
2005261452.tif 000003
【図２】
2005261452.tif 000004
【図３】
2005261452.tif 000005
【図４】
2005261452.tif 000006
【図５】
2005261452.tif 000007
【図６】
2005261452.tif 000008
【図７】
2005261452.tif 000009
【図８】
2005261452.tif 000010
【図９】
2005261452.tif 000011
【図１０】
2005261452.tif 000012
【図１１】
2005261452.tif 000013
【図１２】
2005261452.tif 000014
【図１３】
2005261452.tif 000015
【図１４】
2005261452.tif 000016